(57)【特許請求の範囲】
【請求項１】
前面及び背面が開口するケーシング、このケーシング内に備わる集塵フィルタ材、前記ケーシングの移動手段、を構成要素とするフィルタユニットと、
吸気口及び排気口が備わる送風機、この送風機の移動手段、を構成要素とする送風ユニットと、
が備えられた放射性物質の集塵装置であって、
前記集塵フィルタ材及び当該集塵フィルタ材の形状を保持するための保持部材を構成要素とするフィルタの当該保持部材で前記ケーシングが構成され、
排気筒口が備わり、かつ前記ケーシングの背面開口を覆う背面部材が、前記フィルタユニットの構成要素として備えられ、
前記送風機の吸気口と連通する吸気筒口が、前記送風ユニットの構成要素として備えられ、
一端が前記フィルタユニットの排気筒口に連結され、他端が前記送風ユニットの吸気筒口に連結され、前記各ユニットの配置方向を異なるものとすることができる可撓性のダクトが備えられた、
ことを特徴とする放射性物質の集塵装置。
【請求項２】
前記フィルタユニットと前記送風ユニットとの間に、前面及び背面が開口する後段ケーシング、この後段ケーシング内に備わる後段集塵フィルタ材、前記後段ケーシングの移動手段、を構成要素とする１又は２以上の後段フィルタユニットが備えられ、
吸気筒口が備わり、かつ前記後段ケーシングの前面開口を覆う前面部材、及び排気筒口が備わり、かつ前記後段ケーシングの背面開口を覆う背面部材が、前記後段フィルタユニットの構成要素として備えられ、
一端が前段に位置するユニットの排気筒口に連結され、かつ他端が後段に位置するユニットの吸気筒口に連結され、前記各ユニットの配置方向を異なるものとすることができる可撓性のダクトが備えられた、
請求項１記載の放射性物質の集塵装置。
【請求項３】
前記ケーシングの前面開口を覆う前面部材が、前記フィルタユニットの構成要素として備えられ、
前記集塵フィルタ材が多段とされ、前記集塵フィルタ材及び当該集塵フィルタ材の形状を保持するための保持部材を有するフィルタの当該保持部材が前後方向に接続されて前記ケーシングが構成され、
一端が前記前面部材に取り付けられ、かつ他端が前記背面部材に取り付けられた留め具が設けられ、
この留め具を締めると、前記前面部材及び前記背面部材が相互に前記ケーシング側に引き寄せられて複数の保持部材が接続されて構成されている当該ケーシングが前記前面部材及び前記背面部材によって挟み込まれた状態となり、前記前面部材及び前記背面部材が前記ケーシングに固定されるのと同時に、前記接続部分から空気が漏出するのが防止される、
請求項１又は請求項２記載の放射性物質の集塵装置。
【請求項４】
前記背面部材は、ケーシングの後端部を外方から囲う環状の枠材と、この枠材の背面を閉じる背板と、この背板から後方に延出する前記排気筒口と、を有し、
前記枠材及び前記背板、並びに前記フィルタ材の背面によって空気室が形成されている、
請求項１〜３のいずれか１項に記載の放射性物質の集塵装置。
【請求項５】
前面及び背面が開口する角筒状の前段ケーシング、この前段ケーシング内に備わる前段集塵フィルタ材、前記前段ケーシングが載せられ、かつ幅方向一方及び幅方向他方にストッパーが備わる複数のキャスターを有する移動手段、を構成要素とする放射性粒子を集塵する前段フィルタユニットと、
前面及び背面が開口する角筒状の後段ケーシング、この後段ケーシング内に備わる後段集塵フィルタ材、前記後段ケーシングが載せられ、かつ前記前段フィルタユニットの幅方向一方のキャスターと同一直線上に位置する幅方向一方に、及び前記前段フィルタユニットの幅方向他方のキャスターと同一直線上に位置する幅方向他方にストッパーが備わる複数のキャスターを有し、前記前段フィルタユニットの移動手段と同一幅の移動手段、を構成要素とする放射性ガスを集塵する後段フィルタユニットと、
吸気口及び排気口が備わる送風機、この送風機が載せられ、かつ前記前段フィルタユニットの幅方向一方のキャスターと同一直線上に位置する幅方向一方に、及び前記前段フィルタユニットの幅方向他方のキャスターと同一直線上に位置する幅方向他方にストッパーが備わる複数のキャスターを有し、前記前段フィルタユニットの移動手段と同一幅の移動手段、を構成要素とする送風ユニットと、
が備えられた放射性物質の集塵装置であって、
前記前段集塵フィルタ材及び当該前段集塵フィルタ材の形状を保持するための木製の保持部材を構成要素とするフィルタの当該保持部材で前記前段ケーシングが構成され、前記後段集塵フィルタ材及び当該後段集塵フィルタ材の形状を保持するための木製の保持部材を構成要素とするフィルタの当該保持部材で前記後段ケーシングが構成され、
前記前段集塵フィルタ材として焼却減容型のプレフィルタ材及び高性能フィルタ材がこの順に備えられ、前記後段集塵フィルタ材として粒径８〜１６メッシュの椰子殻活性炭に非放射性のＩ2、ＫＩを添着させたヨウ化物添着活性炭フィルタ材及びエンドフィルタ材がこの順に備えられ、
前記前段ケーシングの後端部を外方から囲う環状の枠材と、この枠材の背面を閉じる背板と、この背板の中央部から後方に延出する排気筒口とからなり、かつ前記枠材及び前記背板、並びに前記高性能フィルタ材の背面によって空気室が形成されるように前記前段ケーシングの背面開口を覆う背面部材が、前記前段フィルタユニットの構成要素として備えられ、
前記後段ケーシングの前端部を外方から囲う環状の枠材と、この枠材の前面を閉じる前板と、この前板の中央部から前方に延出する前記前段フィルタユニットの排出筒口と径並びに高さ方向及び幅方向に関する位置が同一とされた吸気筒口とからなり、かつ前記後段ケーシングの前面開口を覆う前面部材、加えて前記後段ケーシングの後端部を外方から囲う環状の枠材と、この枠材の背面を閉じる背板と、この背板の中央部から後方に延出する前記前段フィルタユニットの排出筒口と径並びに高さ方向及び幅方向に関する位置が同一とされた排気筒口とからなり、かつ前記枠材及び前記背板、並びに前記エンドフィルタ材の背面によって空気室が形成されるように前記後段ケーシングの背面開口を覆う背面部材が、前記後段フィルタユニットの構成要素として備えられ、
前記送風機の吸気口と連通する前記前段フィルタユニットの排出筒口と径並びに高さ方向及び幅方向に関する位置が同一とされた吸気筒口が、前記送風ユニットの構成要素として備えられ、
一端が前記前段フィルタユニットの排気筒口を嵌め込まれて外周上から締め付けられて連結され、かつ他端が前記後段フィルタユニットの吸気筒口を嵌め込まれて外周上から締め付けられて連結され、当該各ユニットの配置方向を異なるものとすることができる可撓性の前段ダクト、及び一端が前記後段フィルタユニットの排気筒口を嵌め込まれて外周上から締め付けられて連結され、かつ他端が前記送風ユニットの吸気筒口を嵌め込まれて外周上から締め付けられて連結され、当該各ユニットの配置方向を異なるものとすることができる可撓性の後段ダクトが備えられた、
ことを特徴とする放射性物質の集塵装置。
【請求項６】
前面及び背面が開口する中段ケーシング、この中段ケーシング内に設置された加温手段、前記中段ケーシングの移動手段、吸気筒口が備わり、かつ前記中段ケーシングの前面開口を覆う前面部材、排気筒口が備わり、かつ前記中段ケーシングの背面開口を覆う背面部材、並びに前記中段ケーシングと連続する入口ダンパケーシング、この入口ダンパケーシング内に配置された流路開閉板、前記中段ケーシングと連続する出口ダンパケーシング、及びこの出口ダンパケーシング内に配置された流路開閉板を構成要素とするヒートユニットが備えられた、
請求項５記載の放射性物質の集塵装置。
【発明の詳細な説明】
【技術分野】
【０００１】
本発明は、放射性物質の飛散が問題となる原子力施設等の各種作業場所に移動して使用することができる、特に放射性物質の集塵に適する放射性物質の集塵装置に関するものである。
【背景技術】
【０００２】
放射性物質の飛散が問題となる原子力施設や、アスベスト等の飛散が問題となる建物の解体現場、ダイオキシン類の飛散が問題となる焼却炉の撤去現場等の各種作業場所において、放射性物質、アスベスト、ダイオキシン類等の各種物質を集塵する集塵装置としては、作業場所に造り付ける形態の装置も存在するが、集塵の必要が急に生じた場合や、集塵の必要が一時的なものである場合等は、集塵作業を行う際に作業場所に移動して使用する形態の装置が有用である。
【０００３】
この種の移動可能な集塵装置としては、例えば、集塵フィルタや送風機等が上下に積み重なり、これら全体がキャスターによって移動可能とされたものが存在する（例えば、特許文献１参照。）。しかしながら、この従来の集塵装置は、作業場所へ移動して使用することができるものの、集塵フィルタや送風機等を上下に積み重ねたものであるため、移動の際の安定性に欠けるとの問題を有する。したがって、移動の際の安定性という観点からは、集塵フィルタや送風機等を水平方向に並べた方が好ましい。
【０００４】
この点、課題は同一ではないが、この集塵フィルタや送風機等を水平方向に並べた集塵装置の提案は、既になされている（例えば、特許文献２，３参照。）。もっとも、これらの集塵装置には、以下の問題が存在する。
すなわち、特許文献３の集塵装置は、１つのケーシング内に集塵フィルタや送風機等が収納された装置であり、平面的に大きな装置となるため、移動し難くなるとの問題を有する。この問題は、特許文献１が課題とするところでもある。
【０００５】
一方、特許文献２の集塵装置は、集塵フィルタや送風機等をそれぞれユニット化するものであり、各別に移動することができるため、移動し難くなるとの問題は解決される。しかしながら、この特許文献２は、各ユニットの接続手段として「一方のユニット側に取り付けられたリング状部材を、他方のユニット側に取り付けられたフックに引っ掛けて係止する既知の構造、いわゆる「ターンオーバー式」の構造を採用することができる」とするのみである（段落［００３８］等参照。）。この構造によると、同文献の図２等から明らかなように、各ユニットの接続によって平面的に長尺な装置が出来上がり、作業場所によっては配置することができないとの問題が生じる。この問題は、単に作業場所が狭い等の構造上の問題を原因として生るものではない。例えば、緊急時等は、作業場所に設置された他の装置が倒れている、あるいは作業場所の天井が落ちている等することがあり、このような場合は、作業場所に到着してからどの程度の配置スペースが存在するかが明らかになる。しかるに、例えば、原子力施設等で放射性物質の飛散が問題となる場所では、危険と隣り合わせでの作業となるため、他の装置を移動する等の配置スペースを確保するための作業を行っている余裕はなく、集塵装置の配置が事実上不可能になる。
【先行技術文献】
【特許文献】
【０００６】
【特許文献１】実公平６−１６３８３号公報
【特許文献２】特開２００７−２８９７９７号公報
【特許文献３】特開２０１１−７５４９号公報
【発明の概要】
【発明が解決しようとする課題】
【０００７】
本発明が解決しようとする主たる課題は、安定的に、かつ簡易に移動することができ、しかも配置場所が制限されない放射性物質の集塵装置を提供することにある。
【課題を解決するための手段】
【０００８】
この課題を解決した本発明は、次の通りである。
［請求項１記載の発明］
前面及び背面が開口するケーシング、このケーシング内に備わる集塵フィルタ材、前記ケーシングの移動手段、を構成要素とするフィルタユニットと、
吸気口及び排気口が備わる送風機、この送風機の移動手段、を構成要素とする送風ユニットと、
が備えられた放射性物質の集塵装置であって、
前記集塵フィルタ材及び当該集塵フィルタ材の形状を保持するための保持部材を構成要素とするフィルタの当該保持部材で前記ケーシングが構成され、
排気筒口が備わり、かつ前記ケーシングの背面開口を覆う背面部材が、前記フィルタユニットの構成要素として備えられ、
前記送風機の吸気口と連通する吸気筒口が、前記送風ユニットの構成要素として備えられ、
一端が前記フィルタユニットの排気筒口に連結され、他端が前記送風ユニットの吸気筒口に連結され、前記各ユニットの配置方向を異なるものとすることができる可撓性のダクトが備えられた、
ことを特徴とする放射性物質の集塵装置。
【０００９】
［請求項２記載の発明］
前記フィルタユニットと前記送風ユニットとの間に、前面及び背面が開口する後段ケーシング、この後段ケーシング内に備わる後段集塵フィルタ材、前記後段ケーシングの移動手段、を構成要素とする１又は２以上の後段フィルタユニットが備えられ、
吸気筒口が備わり、かつ前記後段ケーシングの前面開口を覆う前面部材、及び排気筒口が備わり、かつ前記後段ケーシングの背面開口を覆う背面部材が、前記後段フィルタユニットの構成要素として備えられ、
一端が前段に位置するユニットの排気筒口に連結され、かつ他端が後段に位置するユニットの吸気筒口に連結され、前記各ユニットの配置方向を異なるものとすることができる可撓性のダクトが備えられた、
請求項１記載の放射性物質の集塵装置。
［請求項３記載の発明］
前記ケーシングの前面開口を覆う前面部材が、前記フィルタユニットの構成要素として備えられ、
前記集塵フィルタ材が多段とされ、前記集塵フィルタ材及び当該集塵フィルタ材の形状を保持するための保持部材を有するフィルタの当該保持部材が前後方向に接続されて前記ケーシングが構成され、
一端が前記前面部材に取り付けられ、かつ他端が前記背面部材に取り付けられた留め具が設けられ、
この留め具を締めると、前記前面部材及び前記背面部材が相互に前記ケーシング側に引き寄せられて複数の保持部材が接続されて構成されている当該ケーシングが前記前面部材及び前記背面部材によって挟み込まれた状態となり、前記前面部材及び前記背面部材が前記ケーシングに固定されるのと同時に、前記接続部分から空気が漏出するのが防止される、
請求項１又は請求項２記載の放射性物質の集塵装置。
［請求項４記載の発明］
前記背面部材は、ケーシングの後端部を外方から囲う環状の枠材と、この枠材の背面を閉じる背板と、この背板から後方に延出する前記排気筒口と、を有し、
前記枠材及び前記背板、並びに前記フィルタ材の背面によって空気室が形成されている、
請求項１〜３のいずれか１項に記載の放射性物質の集塵装置。
【００１０】
［請求項５記載の発明］
前面及び背面が開口する角筒状の前段ケーシング、この前段ケーシング内に備わる前段集塵フィルタ材、前記前段ケーシングが載せられ、かつ幅方向一方及び幅方向他方にストッパーが備わる複数のキャスターを有する移動手段、を構成要素とする放射性粒子を集塵する前段フィルタユニットと、
前面及び背面が開口する角筒状の後段ケーシング、この後段ケーシング内に備わる後段集塵フィルタ材、前記後段ケーシングが載せられ、かつ前記前段フィルタユニットの幅方向一方のキャスターと同一直線上に位置する幅方向一方に、及び前記前段フィルタユニットの幅方向他方のキャスターと同一直線上に位置する幅方向他方にストッパーが備わる複数のキャスターを有し、前記前段フィルタユニットの移動手段と同一幅の移動手段、を構成要素とする放射性ガスを集塵する後段フィルタユニットと、
吸気口及び排気口が備わる送風機、この送風機が載せられ、かつ前記前段フィルタユニットの幅方向一方のキャスターと同一直線上に位置する幅方向一方に、及び前記前段フィルタユニットの幅方向他方のキャスターと同一直線上に位置する幅方向他方にストッパーが備わる複数のキャスターを有し、前記前段フィルタユニットの移動手段と同一幅の移動手段、を構成要素とする送風ユニットと、
が備えられた放射性物質の集塵装置であって、
前記前段集塵フィルタ材及び当該前段集塵フィルタ材の形状を保持するための木製の保持部材を構成要素とするフィルタの当該保持部材で前記前段ケーシングが構成され、前記後段集塵フィルタ材及び当該後段集塵フィルタ材の形状を保持するための木製の保持部材を構成要素とするフィルタの当該保持部材で前記後段ケーシングが構成され、
前記前段集塵フィルタ材として焼却減容型のプレフィルタ材及び高性能フィルタ材がこの順に備えられ、前記後段集塵フィルタ材として粒径８〜１６メッシュの椰子殻活性炭に非放射性のＩ2、ＫＩを添着させたヨウ化物添着活性炭フィルタ材及びエンドフィルタ材がこの順に備えられ、
前記前段ケーシングの後端部を外方から囲う環状の枠材と、この枠材の背面を閉じる背板と、この背板の中央部から後方に延出する排気筒口とからなり、かつ前記枠材及び前記背板、並びに前記高性能フィルタ材の背面によって空気室が形成されるように前記前段ケーシングの背面開口を覆う背面部材が、前記前段フィルタユニットの構成要素として備えられ、
前記後段ケーシングの前端部を外方から囲う環状の枠材と、この枠材の前面を閉じる前板と、この前板の中央部から前方に延出する前記前段フィルタユニットの排出筒口と径並びに高さ方向及び幅方向に関する位置が同一とされた吸気筒口とからなり、かつ前記後段ケーシングの前面開口を覆う前面部材、加えて前記後段ケーシングの後端部を外方から囲う環状の枠材と、この枠材の背面を閉じる背板と、この背板の中央部から後方に延出する前記前段フィルタユニットの排出筒口と径並びに高さ方向及び幅方向に関する位置が同一とされた排気筒口とからなり、かつ前記枠材及び前記背板、並びに前記エンドフィルタ材の背面によって空気室が形成されるように前記後段ケーシングの背面開口を覆う背面部材が、前記後段フィルタユニットの構成要素として備えられ、
前記送風機の吸気口と連通する前記前段フィルタユニットの排出筒口と径並びに高さ方向及び幅方向に関する位置が同一とされた吸気筒口が、前記送風ユニットの構成要素として備えられ、
一端が前記前段フィルタユニットの排気筒口を嵌め込まれて外周上から締め付けられて連結され、かつ他端が前記後段フィルタユニットの吸気筒口を嵌め込まれて外周上から締め付けられて連結され、当該各ユニットの配置方向を異なるものとすることができる可撓性の前段ダクト、及び一端が前記後段フィルタユニットの排気筒口を嵌め込まれて外周上から締め付けられて連結され、かつ他端が前記送風ユニットの吸気筒口を嵌め込まれて外周上から締め付けられて連結され、当該各ユニットの配置方向を異なるものとすることができる可撓性の後段ダクトが備えられた、
ことを特徴とする放射性物質の集塵装置。
【００１１】
［請求項６記載の発明］
前面及び背面が開口する中段ケーシング、この中段ケーシング内に設置された加温手段、前記中段ケーシングの移動手段、吸気筒口が備わり、かつ前記中段ケーシングの前面開口を覆う前面部材、排気筒口が備わり、かつ前記中段ケーシングの背面開口を覆う背面部材、並びに前記中段ケーシングと連続する入口ダンパケーシング、この入口ダンパケーシング内に配置された流路開閉板、前記中段ケーシングと連続する出口ダンパケーシング、及びこの出口ダンパケーシング内に配置された流路開閉板を構成要素とするヒートユニットが備えられた、
請求項５記載の放射性物質の集塵装置。
【００１２】
（主な作用効果）
排気筒口が備わり、かつケーシングの背面開口を覆う背面部材がフィルタユニットの構成要素として備えられ、かつ送風機の吸気口と連通する吸気筒口が送風ユニットの構成要素として備えられていると、一端がフィルタユニットの排気筒口に連結され、他端が送風ユニットの吸気筒口に連結されるダクトによってフィルタユニット及び送風ユニットを接続することができる。そして、当該ダクトが可撓性であると、各ユニットの配置方向を異なるものとすることができ、従来の集塵装置では配置することができなかったような場所にも配置することができる。なお、当該ダクトは、放射性物質等を含む空気の流路としての機能も兼ねる。
【発明の効果】
【００１３】
本発明によると、安定的に、かつ簡易に移動することができ、しかも配置場所が制限されない放射性物質の集塵装置となる。
【図面の簡単な説明】
【００１４】
【図１】集塵装置の斜視図である。
【図２】前段フィルタユニットの正面図である。
【図３】前段フィルタユニットの側面図である。
【図４】前段フィルタユニットの平面図である。
【図５】後段フィルタユニットの正面図である。
【図６】後段フィルタユニットの側面図である。
【図７】後段フィルタユニットの平面図である。
【図８】送風ユニットの正面図である。
【図９】送風ユニットの側面図である。
【図１０】送風ユニットの平面図である。
【図１１】制御盤ユニットの正面図である。
【図１２】制御盤ユニットの側面図である。
【図１３】制御盤ユニットの平面図である。
【図１４】ヒートユニットの正面図である。
【図１５】ヒートユニットの側面図である。
【図１６】ヒートユニットの平面図である。
【図１７】集塵装置のユニット構成の説明図である。
【発明を実施するための形態】
【００１５】
次に、本発明の実施の形態を説明する。
図１に、本形態の集塵装置１を示した。本形態の集塵装置１は、放射性物質の集塵に好適な装置構成とされており、放射性粒子（粒子状の放射性物質）を集塵する前段フィルタユニット１０、放射性ガス（ガス状の放射性物質）を集塵する後段フィルタユニット２０、放射性物質を含む作業場所の空気を流通させる送風ユニット３０、及び制御盤等が備わる制御盤ユニット４０が、この順に配置されている。
【００１６】
前段フィルタユニット１０は、図２〜４に示すように、前面及び背面（後面）が開口する筒状の前段ケーシング１１を有する。この前段ケーシング１１の内空部には、前段集塵フィルタ材としてプレフィルタ材１２Ａ及び高性能フィルタ材１２Ｂがこの順に備わる。
【００１７】
前段ケーシング１１は、前段集塵フィルタ材１２Ａ，１２Ｂの保持部材としての機能のほか、放射性物質を含む空気の流路としての機能も兼ねている。したがって、前段フィルタユニット１０が全体として軽くなり、当該前段フィルタユニット１０の移動が容易となる。
【００１８】
ここで、本明細書において、「フィルタ材」とは、空気中から放射性物質等を除去する機能（ろ過機能）を有する部材（ろ過部材）のみをいい、当該フィルタ材（ろ過部材）の形状を保持するための枠材等（保持部材）は含まない。この点、本発明の技術分野においては、ろ過部材及び保持部材を合わせて「フィルタ」ということがあり、現に、ろ過部材及び保持部材を有する製品が「フィルタ」として、数多く市販化されている。そこで、本明細書においては、保持部材を含むのか否かを明確にする趣旨でフィルタ「材」との文言を使用している。
【００１９】
もっとも、このことは、前段フィルタユニット１０を製造するにあたって市販のフィルタ（製品）を使用することができないことを意味するのではない。むしろ、製造容易性やコスト削減、フィルタ材交換の容易性等の観点からは、市販のフィルタ（製品）の使用が好まれる。すなわち、図３中に示すように、前段フィルタユニット１０は、市販化されているフィルタ、例えば、ろ過部材１２Ａ及び保持部材１１Ａで構成されるプレフィルタＭ及びろ過部材１２Ｂ及び保持部材１１Ｂで構成される高性能フィルタＮを前後方向に接続することによって製造することができる。この場合、プレフィルタＭの構成要素であるろ過部材１２Ａがプレフィルタ材となり、高性能フィルタＮの構成要素であるろ過部材１２Ｂが高性能フィルタ材となる。また、プレフィルタＭの構成要素である保持部材１１Ａと高性能フィルタＮの構成要素である保持部材１１Ｂとが接続されて前段ケーシング１１が構成される。この点、保持部材１１Ａ及び保持部材１１Ｂが接続される場合、当該接続部分から空気が漏出するおそれがあるが、本形態では、後述するファスナー１６を使用することによって当該漏出を防止している。このファスナー１６に係る点は、後述する。
【００２０】
なお、市販化されているフィルタ（Ｍ，Ｎ）を使用しないのであれば、例えば、筒体を前段ケーシング１１として用意し、この筒体（前段ケーシング１１）の内空部に前段集塵フィルタ材１２Ａ，１２Ｂを収納することによって、前段フィルタユニット１０を製造することもできる。
【００２１】
前段ケーシング１１は、例えば、金属製とすることもできるが、前段フィルタユニット１０全体を軽量化するという観点からは、その一部又は全部を木製とするのが好ましい。また、本形態の前段ケーシング１１は角筒状とされているが、適宜の形状、例えば、円筒状とすることもできる。
【００２２】
高性能フィルタ材１２Ｂとしては、例えば、ＨＥＰＡフィルタ材やＵＬＰＡフィルタ材を使用することができる。高性能フィルタ材１２Ｂにおいては、空気中に飛散するセシウム１３７等の放射性粒子が集塵（捕捉）される。この高性能フィルタ材１２Ｂは、厚さ（前後方向長）を変えることによって、集塵性能を変えることができる。なお、ＨＥＰＡ（Ｈｉｇｈｔ  Ｅｆｆｉｃｉｅｎｃｙ  Ｐａｒｔｉｃｕｌａｔｅ  Ａｉｒ）フィルタ材は、ＪＩＳ  Ｚ  ８１２２に規定されたエアフィルタ材であり、定格風量で粒径が０．３μｍの粒子に対して９９．９７％以上の粒子捕集率を有し、かつ初期圧力損失が２４５Ｐａ以下の性能を有する。また、ＵＬＰＡ（Ｕｌｔｒａ  Ｌｏｗ  Ｐａｒｔｉｃｕｌａｔｅ  Ａｉｒ）フィルタ材は、ＪＩＳ  Ｚ  ８１２２に規定されたエアフィルタ材であり、定格風量で粒径が０．１５μｍの粒子に対して９９．９９９５％以上の粒子捕集率を有し、かつ初期圧力損失が２４５Ｐａ以下の性能を有する。
【００２３】
高性能フィルタ材１２Ｂの前段（上流）に設けられるプレフィルタ材１２Ａは、高性能フィルタ材１２Ｂの長寿命化、集塵性能の維持等を目的として設けられている。プレフィルタ材１２Ａにおいては、高性能フィルタ材１２Ｂにおいて集塵される放射性粒子よりも相対的に大きな粒径の粒子が集塵される。放射性物質が集塵の対象となる場合は、プレフィルタ材１２Ａとして焼却減容型のプレフィルタ材を使用すると好適である。
【００２４】
本形態においては、前段フィルタユニット１０の前段集塵フィルタ材が、プレフィルタ材１２Ａ及び高性能フィルタ材１２Ｂからなる２段構成とされているが、プレフィルタ材１２Ａを省略した１段構成とすることや、３段以上の多段構成とすることもできる。また、放射性粒子以外を集塵の対象とする場合は、高性能フィルタ材に換えて、又は高性能フィルタ材と共に中性能フィルタ材等の他のエアフィルタ材を使用することができる。ただし、前段集塵フィルタ材の段数を多くし過ぎると、前段フィルタユニット１０が大型化するので、段数を多くするよりも、フィルタユニットの台数を増やして対応する方が好ましい。
【００２５】
前段ケーシング１１の前面開口は、前面部材１３によって覆われている。この前面部材１３は、前段ケーシング１１の前端部を外方から囲う環状の枠材１３Ａと、この枠材１３Ａ内に張られた金網（例えばクリンプ金網）等からなる網材１３Ｂと、から主になる。網材１３Ｂによって集塵の対象とならない大きな物質が前段ケーシング１１内に入り込むのが防止され、プレフィルタ１２Ａの損傷等が防止される。枠材１３Ａは、適宜後述する移動手段１４に固定される。
【００２６】
一方、前段ケーシング１１の背面開口は、背面部材１５によって覆われている。この背面部材１５は、前段ケーシング１１の後端部を外方から囲う環状の枠材１５Ａと、この枠材１５Ａの背面を閉じる背板１５Ｂと、この背板１５Ｂのほぼ中央部から後方に延出する排気筒口１５Ｃと、から主になる。枠材１５Ａは、枠材１３Ａと同様、適宜後述する移動手段１４に固定される。
【００２７】
本形態においては、背面部材１５の枠材１５Ａ及び背板１５Ｂ、並びに高性能フィルタ材１２Ｂの背面によって空気室１５Ｄが形成されている。したがって、高性能フィルタ材１２Ｂを通り抜けた空気は、当該空気室１５Ｄにおいて中央部に集まり、排気筒口１５Ｃから円滑に排気される。つまり、空気室１５Ｄが存在するため、高性能フィルタ材１２Ｂの全面が有効利用される。
【００２８】
本形態においては、背板１５Ｂの外面上端部に差圧計１８が設けられている。この差圧計１８は、ビニール管等からなるチューブ１８Ａを通してプレフィルタ材１２Ａ上流の圧力を検知することができ、また、ビニール管等からなるチューブ１８Ｂを通して高性能フィルタ材１２Ｂ下流の圧力を検知することができる。したがって、前段集塵フィルタ材１２Ａ，１２Ｂがどの程度の粒子を集塵しているか等の使用状態を把握することができる。
【００２９】
前面部材１３及び背面部材１５は、前段ケーシング１１の前面開口及び背面開口を覆った状態で当該前段ケーシング１１にも固定されている。この固定は、一端が前面部材１３に取り付けられ、他端が背面部材１５に取り付けられた留め具たるファスナー１６によって行われている。この形態においては、ファスナー１６を締めると、前面部材１３及び背面部材１５が相互に前段ケーシング１１側に引き寄せられ、前段ケーシング１１が前面部材１３及び背面部材１５によって挟み込まれた状態となり、前面部材１３及び背面部材１５が前段ケーシング１１に固定される。この形態によると、前面部材１３及び背面部材１５が固定されるのと同時に、プレフィルタ材１２Ａを収納するケーシング（１１Ａ）と高性能フィルタ材１２Ｂを収納するケーシング（１１Ｂ）との接続部分から空気が漏れるおそれがなくなる。また、前段集塵フィルタ（Ｍ，Ｎ）の取り付けや取り外しも容易となる。本形態においては、ファスナー１６が前段ケーシング１１の両側面に沿ってそれぞれ２つずつ設けられているが、それぞれ１つとすることや３つ以上の複数とすることもできる。なお、前面部材１３及び背面部材１５の固定は、例えば、枠材１３Ａ，１５Ａを、それぞれ前段ケーシング１１にボルト留めすることによって行うこともできるが、本形態のように、ファスナー１６を使用する方が好ましい。
【００３０】
前段ケーシング１１は、ストッパーが備わるキャスター（方向が自在に変わる車輪）１４Ａを複数、図示例では４つ有する移動手段１４の上に載せられている。この移動手段１４によって前段フィルタユニット１０を配置場所まで容易に移動することができ、また、配置場所において容易にずらすことができる。移動手段１４の前端部及び後端部には、それぞれ複数の、図示例ではそれぞれ２つの引手材１４Ｂが取り付けられている。この引手材１４Ｂを直接又は紐等を掛けて間接的に引くことで、前段フィルタユニット１０の移動等を行うことができる。
【００３１】
前段フィルタユニット１０の後段（下流）に配置された後段フィルタユニット２０は、図５〜７に示すように、前面及び背面（後面）が開口する筒状の後段ケーシング２１を有する。この後段ケーシング２１の内空部には、後段集塵フィルタ材として活性炭（チャコール）フィルタ材２２Ａ及びエンドフィルタ材２２Ｂがこの順に備わる。
【００３２】
後段ケーシング２１は、後段集塵フィルタ材２２Ａ，２２Ｂの保持部材としての機能のほか、放射性物質を含む空気の流路としての機能も兼ねている。したがって、後段フィルタユニット２０が全体として軽くなり、当該後段フィルタユニット２０の移動が容易となる。
【００３３】
ここで、「フィルタ材」の概念は前述した通りであるが、後段フィルタユニット２０を製造するにあたっても市販のフィルタ（製品）を使用することができ、製造容易性やコスト削減、フィルタ材交換の容易性等の観点からは、市販のフィルタ（製品）の使用が好まれる。図示はしないが、後段フィルタユニット２０は、市販化されているフィルタ、例えば、ろ過部材及び保持部材で構成される活性炭フィルタ並びにろ過部材及び保持部材で構成されるエンドフィルタを前後方向に接続することによって製造することができる。この場合、活性炭フィルタの構成要素であるろ過部材が活性炭フィルタ材となり、エンドフィルタの構成要素であるろ過部材がエンドフィルタ材となる。また、活性炭フィルタの構成要素である保持部材とエンドフィルタの構成要素である保持部材とが接続されて後段ケーシング２１が構成される。接続部分から空気が漏出するおそれは、後述するファスナー２６の使用によって解決しており、この点については、後述する。
【００３４】
なお、市販化されているフィルタを使用しないのであれば、例えば、筒体を後段ケーシング２１として用意し、この筒体（後段ケーシング２１）の内空部に後段集塵フィルタ材２２Ａ，２２Ｂを収納することによって、後段フィルタユニット２０を製造することもできる。
【００３５】
後段ケーシング２１は、例えば、金属製とすることもできるが、後段フィルタユニット２０全体を軽量化するという観点からは、その一部又は全部を木製とするのが好ましい。通常、後段ケーシング２１は、前段ケーシング１１と大きさ、形状及び素材が同一とされる。なお、本形態の後段ケーシング２１も角筒状とされているが、適宜の形状、例えば、円筒状とすることもできる。
【００３６】
活性炭フィルタ材２２Ａにおいては、例えば、空気中に飛散する放射性ガスが集塵（吸着）される。この活性炭フィルタ材２２Ａも、厚さ（前後方向長）を変えることによって、集塵性能を変えることができる。ただし、放射性ヨウ素（131Ｉ2，ＣＨ3131Ｉ）を集塵の対象とする場合は、ヨウ化物を添着した活性炭フィルタ材を使用するのが好ましい。ヨウ化物添着活性炭フィルタ材を使用すると、同位元素置換作用等によって放射性ヨウ素の吸着（集塵）能力が高まる。ヨウ化物添着活性炭としては、例えば、粒径８〜１６メッシュの椰子殻活性炭に非放射性のＩ2、ＫＩを数パーセント添着させた活性炭等が好適である。
【００３７】
エンドフィルタ材２２Ｂは、活性炭フィルタ材２２Ａにおいて空気中に飛散した活性炭の粉塵を集塵するために設けられている。エンドフィルタ材２２Ｂとしては、例えば、プレフィルタ材１２Ａと同様のエアフィルタ材や中性能フィルタ材を使用することができる。
【００３８】
本形態においては、後段フィルタユニット２０の後段集塵フィルタ材が、活性炭フィルタ材２２Ａ及びエンドフィルタ材２２Ｂからなる２段構成とされているが、エンドフィルタ材２２Ｂを省略した１段構成とすることや、３段以上の多段構成とすることもできる。また、放射性ヨウ素以外の放射性ガスを集塵するためにヨウ化物が添着されていない通常の活性炭フィルタ材を使用することや、放射性ガス以外を集塵の対象とするために活性炭フィルタ材以外のエアフィルタ材を使用することもできる。なお、後段集塵フィルタ材の段数を多くし過ぎると、後段フィルタユニット２０が大型化するので、フィルタユニットの台数を増やして対応する方が好ましいのは、前段フィルタユニット１０の場合と同様である。
【００３９】
後段ケーシング２１の前面開口は、前面部材２３によって覆われている。この前面部材２３は、後段ケーシング２１の前端部を外方から囲う環状の枠材２３Ａと、この枠材２３Ａの前面を閉じる前板２３Ｂと、この前板２３Ｂのほぼ中央部から前方に延出する吸気筒口２３Ｃと、から主になる。枠材２３Ａは、適宜後述する移動手段２４に固定される。前段フィルタユニット１０において放射性粒子が集塵された空気は、排気筒口１５Ｃから排気された後、吸気筒口２３Ｃから後段ケーシング２１内に吸気され、放射性ガスが集塵される。なお、排気筒口１５Ｃ及び吸気筒口２３Ｃの接続方法については、後述する。
【００４０】
一方、後段ケーシング２１の背面開口は、背面部材２５によって覆われている。この背面部材２５は、後段ケーシング２１の後端部を外方から囲う環状の枠材２５Ａと、この枠材２５Ａの背面を閉じる背板２５Ｂと、この背板２５Ｂのほぼ中央部から後方に延出する排気筒口２５Ｃと、から主になる。枠材２５Ａは、適宜後述する移動手段２４に固定される。
【００４１】
本形態においては、背面部材２５の枠材２５Ａ及び背板２５Ｂ、並びにエンドフィルタ材２２Ｂの背面によって空気室２５Ｄが形成されている。したがって、エンドフィルタ材２２Ｂを通り抜けた空気は、当該空気室２５Ｄにおいて中央部に集まり、排気筒口２５Ｃから円滑に排気される。空気室２５Ｄの存在により、エンドフィルタ材２２Ｂの全面が有効利用される。
【００４２】
後段フィルタユニット２０においては、前面部材２３を構成する前板２３Ｂの外面上端部に差圧計２８が設けられている。この差圧計２８は、ビニール管等からなるチューブ２８Ａを通して活性炭フィルタ材２２Ａ上流の圧力を検知することができ、また、ビニール管等からなるチューブ２８Ｂを通してエンドフィルタ材２２Ｂ下流の圧力を検知することができる。したがって、後段集塵フィルタ材２２Ａ，２２Ｂがどの程度の粒子を集塵しているか等の使用状態を把握することができる。また、本形態のように、前段フィルタユニット１０の差圧計１８はユニットの後側に設け、かつ後段フィルタユニット２０の差圧計２８はユニットの前側に設けることによって、両差圧計１８，２８の同時確認が可能となる。
【００４３】
前面部材２３及び背面部材２５は、後段ケーシング２１の前面開口及び背面開口を覆った状態で固定されており、この固定は、前段フィルタユニット１０の場合において説明したのと同様に、ボルト留め等によることも不可能ではない。しかしながら、本形態においては、前段フィルタユニット１０におけるのと同様、一端が前面部材２３に取り付けられ、他端が背面部材２５に取り付けられた留め具たるファスナー２６を使用して固定している。この形態によると、前面部材２３及び背面部材２５が固定されるのと同時に、活性炭フィルタ材２２Ａを収納するケーシングとエンドフィルタ材２２Ｂを収納するケーシングとの接続部分から空気が漏れるおそれがなくなる。また、後段集塵フィルタ材２２Ａ，２２Ｂの取り付けや取り外しも容易となる。本形態においては、ファスナー２６が後段ケーシング２１の両側面に沿ってそれぞれ２つずつ設けられている。
【００４４】
後段ケーシング２１は、ストッパーが備わるキャスター２４Ａを複数、図示例では４つ有する移動手段２４の上に載せられている。この移動手段２４によって後段フィルタユニット２０を配置場所まで容易に移動することができ、また、配置場所において容易にずらすことができる。移動手段２４の前端部及び後端部には、それぞれ複数の、図示例ではそれぞれ２つの引手材２４Ｂが取り付けられている。この引手材２４Ｂを直接又は紐等を掛けて間接的に引くことで、後段フィルタユニット２０の移動等を行うことができる。
【００４５】
送風ユニット３０は、図８〜１０に示すように、吸気口３２及び排気口３３が備わり、モータ３５によって駆動される図示しない送風ファンが備わる送風機３１を有する。この送風機３１によってフィルタユニット１０，２０における空気の流通が図られる。本形態においては、排気口３３が上方を向いているが、側方を向いていても、後方を向いていてもよい。
【００４６】
この送風機３１の前面には、軸方向が前後方向に沿う円筒状の吸気筒口３６が取り付けられている。フィルタユニット１０，２０において放射性物質が集塵された空気（清浄空気）は、後段フィルタユニット２０の排気筒口２５Ｃから排気された後、吸気筒口３６を介してこの吸気筒口３６と連通する吸気口３２から吸気され、排気口３３から排気される。なお、排気筒口２５Ｃ及び吸気筒口３６の接続方法については、後述する。
【００４７】
送風機３１は、ストッパーが備わるキャスター３４Ａを複数、図示例では４つ有する移動手段３４の上に載せられている。この移動手段３４によって送風ユニット３０を配置場所まで容易に移動することができ、また、配置場所において容易にずらすことができる。移動手段３４の前端部及び後端部には、それぞれ複数の、図示例ではそれぞれ２つの引手材３４Ｂが取り付けられている。この引手材３４Ｂを直接又は紐等を掛けて間接的に引くことで、送風ユニット３０の移動等を行うことができる。
【００４８】
制御盤ユニット４０は、図１１〜１３に示すように、送風機３１等の制御、操作等を行うための制御ボックス４１を有する。この制御ボックス４１は、キャスター４４Ａを複数、図示例では４つ有する移動手段４４の上に載せられている。この移動手段４４によって制御盤ユニット４０を配置場所まで容易に移動することができ、また、配置場所において容易にずらすことができる。移動手段４４の前端部及び後端部には、それぞれ複数の、図示例ではそれぞれ２つの引手材４４Ｂが取り付けられている。この引手材４４Ｂを直接又は紐等を掛けて間接的に引くことで、制御盤ユニット４０の移動等を行うことができる。
【００４９】
次に、各ユニット相互の関係や接続形態等について説明する。
本形態においては、図１７の（１）に示すように、前段フィルタユニット１０の移動手段１４、後段フィルタユニット２０の移動手段２４、送風ユニット３０の移動手段３４、及び制御盤ユニット４０の移動手段４４（なお、図１７の（１）〜（４）では制御盤ユニット４０を図示していない。）の幅Ｌが全て同一とされている。また、これら移動手段１４，２４，３４，４４の幅方向一方に備わるキャスター１４Ａ，２４Ａ，３４Ａ，４４Ａ、及び幅方向他方に備わるキャスター１４Ａ，２４Ａ，３４Ａ，４４Ａが、それぞれ同一直線上に位置するように構成されている。したがって、一対のレール等を並行に敷設し、このレール上にキャスター１４Ａ，２４Ａ，３４Ａ，４４Ａを載せ、車輪を転がすことによって、各ユニット１０，２０，３０，４０を容易に移動することができる。このレール等を敷設して移動する形態によると、例えば、移動経路に段差等が存在する場合や、平坦でない場所が存在する場合等においても集塵装置１を容易に移動することができ、極めて有用である。なお、一対のレールは各別に敷設することもできるが、一対のレールとこれらを並行に繋ぐ連結材とからなるレール具をあらかじめ用意しておき、作業場所においてこのレール具を敷設することよって設置作業の迅速化を図ることもできる。また、集塵装置１の設置が完了した段階では、キャスター１４Ａ，２４Ａ，３４Ａ，４４Ａが同一直線上に位置する必要はない。例えば、図１に示す例では、制御盤ユニット４０の配置方向が９０°回転させられており、キャスター４４Ａは同一直線上に位置しない。あくまで、キャスター１４Ａ，２４Ａ，３４Ａ，４４Ａを同一直線上に位置させることができるようにされていれば足りる。
【００５０】
本形態においては、各ユニット１０，２０，３０の接続に塩ビ管等からなる可撓性の、好ましくは蛇腹状のダクト６０が利用される。具体的には、ダクト（前段ダクト）６０の一端が前段フィルタユニット１０の排気筒口１５Ｃに連結され、当該ダクト６０の他端が後段フィルタユニット２０の吸気筒口２３Ｃに連結され、もって前段フィルタユニット１０と後段フィルタユニット２０とが接続される。また、同様に、ダクト（後段ダクト）６０の一端が後段フィルタユニット２０の排気筒口２５Ｃに連結され、当該ダクト６０の他端が送風ユニット３０の吸気筒口３６に連結され、もって後段フィルタユニット２０及び送風ユニット３０が接続される。これらダクト６０による接続によって、前段ケーシング１１の内空部及び後段ケーシング２１の内空部が連通状態となり、送風機３１の吸引作用によって当該内空部内に空気が流れる。また、ダクト６０が可撓性を有するため、図１７の（２）に示すように、各ユニット１０，２０，３０の配置方向を変化させることができ、例えば、作業場所によっては配置することができないとの問題が解決される。
【００５１】
ダクト６０による各ユニット１０，２０，３０の接続は、集塵装置１を作業現場へ移動するに先立って行うことも、作業現場へ移動した後に行うこともできる。
【００５２】
本形態においては、排出筒口１５Ｃ，２５Ｃ及び吸気筒口２３Ｃ，３６の大きさ（径）や、断面方向（高さ方向及び幅方向）に関する位置を、全て同一にしている。各ユニット１０，２０，３０の配置方向を変化させるという観点からは、ダクト６０が可撓性を有すれば足りるが、排出筒口１５Ｃ，２５Ｃ及び吸気筒口２３Ｃ，３６の大きさや位置を揃えておくことで、各ユニット１０，２０，３０を、例えば、図１に示すように、極めて近位に配置することができるようになる。
【００５３】
ダクト６０と排出筒口１５Ｃ，２５Ｃ及び吸気筒口２３Ｃ，３６との連結方法としては、例えば、排出筒口１５Ｃ，２５Ｃ及び吸気筒口２３Ｃ，３６に外接する径のダクトを用意し、このダクトの端部内に排出筒口１５Ｃ，２５Ｃや吸気筒口２３Ｃ，３６を嵌め込んだ上で、ダクト６０の外周上からホースバンド等によって締め付け、固定する方法を採用することができる。
【００５４】
ダクト６０を使用する方法は、ユニット数の増減にも容易に対応することができる。ユニット数が増減された形態としては、例えば、図１７の（３）に示すように、フィルタユニットが前段フィルタユニット１０のみとされた形態や、図示はしないが、後段フィルタユニット２０が２台以上の複数台（フィルタユニット全体としてみれば３台以上の複数台）とされた形態、図１７の（４）に示すように、前段フィルタユニット１０と後段フィルタユニット２０との間に、機能性ユニットたるヒートユニット８０が備えられた形態等を例示することができる。
【００５５】
ここで、本形態のヒートユニット８０は、図１４〜１６に示すように、前面及び背面が開口する中段ケーシングの内空部に図示しない加温手段たるヒーターが設置されたヒート装置８７を有する。このヒート装置８７において空気が加温されると、相対湿度が低下するため、後段フィルタユニット２０における活性炭フィルタ材２２Ａでの集塵（吸着）効率が向上する。
【００５６】
本形態のヒートユニット８０においては、ヒート装置８７の前段（上流）に入口ダンパ装置８６Ａが、ヒート装置８７の後段（下流）に出口ダンパ装置８６Ｂが、それぞれ設けられている。入口ダンパ装置８６Ａは、中段ケーシングと連続する入口ダンパケーシングと、この入口ダンパケーシング内に配置された流路開閉板とから主になる。入口ダンパ装置８６Ａによって、中段ケーシング内において発火した際に上流へ延焼するのが防止され、安全性が向上する。他方、出口ダンパ装置８６Ｂも、中段ケーシングと連続する出口ダンパケーシングと、この出口ダンパケーシング内に配置された流路開閉板とから主になる。出口ダンパ装置８６Ｂによって、中段ケーシング内において発火した際に、下流へ延焼するのが防止され、安全性が向上する。
【００５７】
入口ダンパ装置８６Ａの前段（上流）には、湿度計測装置８８が備えられている。この湿度計測装置８８は、入口ダンパ装置８６Ａの入口ダンパケーシングと連続する計測ケーシングと、この計測ケーシング内に配置された湿度計とから主になる。この湿度計測装置８８によって空気の湿度を計測し、ヒート装置８７における加温の程度を調節することができる。
【００５８】
湿度計測装置８８の計測ケーシングは前面及び背面が開口しており、前面開口は吸気筒口８３が備わる前面部材によって覆われている。したがって、ヒート装置８７の中段ケーシング前面開口は、入口ダンパ装置８６Ａ及び湿度計測装置８８を介して間接的に吸気筒口８３が備わる前面部材によって覆われた状態とされている。他方、出口ダンパ装置８６Ｂの出口ダンパケーシングは前面及び背面が開口しており、背面開口は排気筒口８５が備わる背面部材によって覆われている。したがって、ヒート装置８７の中段ケーシング背面開口は、出口ダンパ装置８６Ｂを介して間接的に排気筒口８５が備わる背面部材によって覆われた状態とされている。
【００５９】
以上のヒート装置８７等は、ストッパーが備わるキャスター８４Ａを複数、図示例では４つ有する移動手段８４の上に載せられている。この移動手段８４によってヒートユニット８０を配置場所まで容易に移動することができ、また、配置場所において容易にずらすことができる。移動手段８４の前端部及び後端部には、それぞれ複数の、図示例ではそれぞれ２つの引手材８４Ｂが取り付けられている。この引手材８４Ｂを直接又は紐等を掛けて間接的に引くことで、ヒートユニット８０の移動等を行うことができる。
【産業上の利用可能性】
【００６０】
本発明は、放射性物質の飛散が問題となる原子力施設等の各種作業場所に移動して使用することができる放射性物質の集塵装置として適用可能である。
【符号の説明】
【００６１】
１…集塵装置、１０…前段フィルタユニット、１１…前段ケーシング、１２Ａ，１２Ｂ，２２Ａ，２２Ｂ…集塵フィルタ材、１３，２３…前面部材、１４，２４，３４，４４，８４…移動手段、１４Ａ，２４Ａ，３４Ａ，４４Ａ，８４Ａ…キャスター、１５，２５…背面部材、１５Ｃ，２５Ｃ，８５…排気筒口、１８，２８…差圧計、２０…後段フィルタユニット、２３Ｃ，３６，８３…吸気筒口、３０…送風ユニット、３１…送風機、３２…吸気口、３３…排気口、４０…制御盤ユニット、４１…制御ボックス、６０…ダクト、８０…ヒートユニット、８８…湿度計測装置、８６Ａ，８６Ｂ…ダンパ装置、８７…ヒート装置。
【図２】
0005910959.tif 000002
【図３】
0005910959.tif 000003
【図４】
0005910959.tif 000004
【図５】
0005910959.tif 000005
【図６】
0005910959.tif 000006
【図７】
0005910959.tif 000007
【図８】
0005910959.tif 000008
【図９】
0005910959.tif 000009
【図１０】
0005910959.tif 000010
【図１１】
0005910959.tif 000011
【図１２】
0005910959.tif 000012
【図１３】
0005910959.tif 000013
【図１４】
0005910959.tif 000014
【図１５】
0005910959.tif 000015
【図１６】
0005910959.tif 000016
【図１７】
0005910959.tif 000017
【図１】
0005910959.tif 000018